(57)【要約】【課題】印刷部および読取部の両方を備える場合にも、小型化を図ることが可能な画像形成装置を提供する。【解決手段】このインクジェット複合機１００（画像形成装置）は、搬送部３によって印刷経路に沿って移動される記録紙に対して、インクを噴射することにより印刷する印刷部１と、搬送部３によって読取経路に沿って移動される原稿を読み取る読取部２と、を備える。印刷部１と読取部２とは、側方から見て、前後方向に重なる位置に配置されている。【選択図】図７
2015177520.tif 000002
【特許請求の範囲】
【請求項１】
印刷用搬送機構によって印刷経路に沿って移動される記録紙に対して、インクを噴射することにより印刷する印刷部と、
前記印刷用搬送機構と少なくとも一部の搬送機構が共通する読取用搬送機構によって読取経路に沿って移動される原稿を読み取る読取部と、を備え、
側方から見て、前記印刷部と前記読取部とが前後方向に重なる位置に配置されている、画像形成装置。
【請求項２】
前記印刷部および前記読取部は、側方から見て、前後方向に重なる位置において、前記印刷経路を挟んで上下方向に配置されている、請求項１に記載の画像形成装置。
【請求項３】
前記印刷部は、側方から見て、前記印刷経路の上側に配置されており、
前記読取部は、側方から見て、前記印刷経路の下側に配置されている、請求項２に記載の画像形成装置。
【請求項４】
前記読取部を上下方向に移動させる昇降機構部をさらに備え、
前記昇降機構部は、原稿が前記読取経路に沿って移動される読取状態と、前記読取状態から前記読取部の位置を下方向に移動させて、記録紙が前記印刷経路に沿って移動される印刷状態とを切り替えるように構成されている、請求項３に記載の画像形成装置。
【請求項５】
前記昇降機構部は、前記印刷状態と前記読取状態との両方の状態において、前記印刷用搬送機構と前記読取用搬送機構とが共通になるように前記読取部を上下方向に移動させるように構成されている、請求項４に記載の画像形成装置。
【請求項６】
前記読取部の周囲を覆うことにより、前記読取部を格納する格納部をさらに備え、
前記読取部は、前記格納部に格納された状態で、前記昇降機構部により前記格納部が上下方向に移動されることにより、上下方向に移動されるように構成されている、請求項４または５に記載の画像形成装置。
【請求項７】
前記格納部は、前記読取部の前記印刷部側を覆う被覆部を含み、
前記昇降機構部は、前記印刷状態において、記録紙が前記被覆部の上面上を搬送されるように前記格納部を下方向に移動させるように構成されている、請求項６に記載の画像形成装置。
【請求項８】
前記格納部は、前記被覆部よりも前記読取部側に配置され、原稿を前記読取部に導入するための開口部をさらに含み、
前記昇降機構部は、前記印刷用搬送機構と前記読取用搬送機構とが共通になるように、前記読取状態において前記開口部に原稿が導入される際の前記格納部近傍の前記読取経路と、前記印刷状態において記録紙が前記被覆部の上面上を搬送される際の前記格納部近傍の前記印刷経路との上下方向の高さ位置が略同一になるように前記格納部を上下方向に移動させるように構成されている、請求項７に記載の画像形成装置。
【請求項９】
前記格納部は、前記開口部の内側に配置され、前記読取部に向かって原稿を押えるための原稿押え部をさらに含む、請求項８に記載の画像形成装置。
【請求項１０】
前記印刷部は、前記印刷部を駆動させて印刷を行うシリアル印刷方式により記録紙に印刷を行うように構成されており、
前記印刷部は、前記読取状態において、上方から見て、前記読取部と重ならない位置に退避可能なように配置されている、請求項４〜９のいずれか１項に記載の画像形成装置。
【請求項１１】
前記印刷部は、前記印刷部を固定して印刷を行うライン印刷方式により記録紙に印刷を行うように構成されており、
前記印刷部は、上方から見て、前記読取部と重なるように配置されており、前記昇降機構部により前記読取部の位置が上下方向へ移動される際に、前記読取部の移動に伴って上下方向に移動するように構成されている、請求項４〜９のいずれか１項に記載の画像形成装置。
【発明の詳細な説明】
【技術分野】
【０００１】
この発明は、画像形成装置に関し、特に、印刷部と読取部とを備える画像形成装置に関する。
【背景技術】
【０００２】
従来、印刷部と読取部とを備える画像形成装置が知られている（たとえば、特許文献１参照）。
【０００３】
上記特許文献１には、記録紙に印刷するプリンタヘッド（印刷部）と、原稿を読み取るＣＣＤモジュール（読取部）とを備える画像処理装置（画像形成装置）が開示されている。この画像処理装置は、記録紙の印刷のための搬送経路と、原稿の読み取りのための搬送経路との少なくとも一部を共通化することにより、画像処理装置を小型化するように構成されている。また、この画像処理装置では、共通化された搬送経路に沿って、側面視で、プリンタヘッドとＣＣＤモジュールとが前側と後側とに並んだ状態で配置されている。
【先行技術文献】
【特許文献】
【０００４】
【特許文献１】特開２００６−１６２０１号公報
【発明の概要】
【発明が解決しようとする課題】
【０００５】
しかしながら、上記特許文献１に記載の画像処理装置では、側面視で、プリンタヘッドとＣＣＤモジュールとが前側と後側とに並んだ状態で配置されるため、画像処理装置が前後方向に大きくなってしまう。このため、充分に小型化することができないという問題点がある。
【０００６】
この発明は、上記のような課題を解決するためになされたものであり、この発明の１つの目的は、印刷部および読取部の両方を備える場合にも、小型化を図ることが可能な画像形成装置を提供することである。
【課題を解決するための手段】
【０００７】
この発明の一の局面による画像形成装置は、印刷用搬送機構によって印刷経路に沿って移動される記録紙に対して、インクを噴射することにより印刷する印刷部と、印刷用搬送機構と少なくとも一部の搬送機構が共通する読取用搬送機構によって読取経路に沿って移動される原稿を読み取る読取部と、を備え、側方から見て、印刷部と読取部とが前後方向に重なる位置に配置されている。なお、本発明における、「搬送機構」とは、搬送のための経路を含まず、搬送のための搬送ローラや、経路を切り替えるための切替部材などを含む広い概念である。
【０００８】
この発明の一の局面による画像形成装置では、上記のように、側方から見て、印刷部と読取部とを前後方向に重なる位置に配置することによって、印刷部と読取部とが前側と後側とに並んだ状態で配置される構成と比べて、画像形成装置が前後方向に大きくなってしまうのを抑制することができる。その結果、印刷部および読取部の両方を備える場合にも、画像形成装置を小型化することができる。
【０００９】
上記一の局面による画像形成装置において、好ましくは、印刷部および読取部は、側方から見て、前後方向に重なる位置において、印刷経路を挟んで上下方向に配置されている。ここで、上下方向において印刷部の配置される位置とは反対側の位置は、通常デッドスペースになり易い位置であるので、本発明のように、上下方向において印刷部の配置される位置とは反対側の位置に読取部を配置すれば、デッドスペースを利用して、印刷部と読取部とを容易に前後方向に重なる位置に配置することができる。
【００１０】
この場合、好ましくは、印刷部は、側方から見て、印刷経路の上側に配置されており、読取部は、側方から見て、印刷経路の下側に配置されている。このように構成すれば、印刷部の下側の印刷経路を移動される記録紙に対して印刷部によりインクを噴射することができるので、重力によりインクが下側に移動するのを利用して、印刷部による印刷を容易に行うことができる。
【００１１】
上記印刷部が上側に配置され、読取部が下側に配置される構成において、好ましくは、読取部を上下方向に移動させる昇降機構部をさらに備え、昇降機構部は、原稿が読取経路に沿って移動される読取状態と、読取状態から読取部の位置を下方向に移動させて、記録紙が印刷経路に沿って移動される印刷状態とを切り替えるように構成されている。このように構成すれば、印刷状態において昇降機構部により読取部を印刷部とは離間する方向（下方向）に移動させることができるので、印刷時に印刷部から噴射されたインクが読取部に付着してしまうのを抑制することができる。その結果、インクの付着に起因して、読取部による原稿の読取不良が起こるのを抑制することができる。
【００１２】
この場合、好ましくは、昇降機構部は、印刷状態と読取状態との両方の状態において、印刷用搬送機構と読取用搬送機構とが共通になるように読取部を上下方向に移動させるように構成されている。このように構成すれば、搬送ローラなどの印刷用搬送機構と読取用搬送機構とを共通にすることができるので、印刷経路のためにのみ用いられる搬送ローラや、読取経路のためにのみ用いられる搬送ローラを設ける必要がない。その結果、部品点数が増加してしまうのを抑制することができるので、画像形成装置をより小型化することができる。
【００１３】
上記昇降機構部を備える構成において、好ましくは、読取部の周囲を覆うことにより、読取部を格納する格納部をさらに備え、読取部は、格納部に格納された状態で、昇降機構部により格納部が上下方向に移動されることにより、上下方向に移動されるように構成されている。このように構成すれば、格納部により読取部を格納することによって、印刷部から噴射されたインクが読取部に付着してしまうのをより抑制することができる。その結果、インクの付着に起因して、読取部による原稿の読取不良が起こるのをより抑制することができる。
【００１４】
この場合、好ましくは、格納部は、読取部の印刷部側を覆う被覆部を含み、昇降機構部は、印刷状態において、記録紙が被覆部の上面上を搬送されるように格納部を下方向に移動させるように構成されている。このように構成すれば、格納部の被覆部を利用して、記録紙の印刷経路の一部を形成することができるので、別個の部材により記録紙の印刷経路を形成する構成と比べて、部品点数が増加してしまうのを抑制することができる。
【００１５】
上記格納部が被覆部を含む構成において、好ましくは、格納部は、被覆部よりも読取部側に配置され、原稿を読取部に導入するための開口部をさらに含み、昇降機構部は、印刷用搬送機構と読取用搬送機構とが共通になるように、読取状態において開口部に原稿が導入される際の格納部近傍の読取経路と、印刷状態において記録紙が被覆部の上面上を搬送される際の格納部近傍の印刷経路との上下方向の高さ位置が略同一になるように格納部を上下方向に移動させるように構成されている。このように構成すれば、格納部近傍の読取経路と印刷経路との上下方向の高さが異なる構成と異なり、読取状態における読取経路と印刷状態における印刷経路との経路を切り替える切替部材を設ける必要がない。その結果、部品点数が増加してしまうのをより抑制することができるとともに、画像形成装置をさらに小型化することができる。
【００１６】
この場合、好ましくは、格納部は、開口部の内側に配置され、読取部に向かって原稿を押えるための原稿押え部をさらに含む。このように構成すれば、読取経路に沿って移動される原稿を原稿押え部により読取部に向かって押えることができるので、印刷高さと略同一の読み取り高さ位置で原稿を読み取る場合に、読み取り位置（高さ位置）を略均一にすることができる。これにより、ＣＩＳ方式などのピントのずれやすい方式の読取部が用いられる場合にも、読取部により原稿を確実に読み取ることができる。
【００１７】
上記昇降機構部を備える構成において、好ましくは、印刷部は、印刷部を駆動させて印刷を行うシリアル印刷方式により記録紙に印刷を行うように構成されており、印刷部は、読取状態において、上方から見て、読取部と重ならない位置に退避可能なように配置されている。このように構成すれば、昇降機構部により読取部が上方向に移動される際に、印刷部を読取部と重ならない位置に退避させることができるので、読取部と印刷部とが干渉するのを抑制することができる。
【００１８】
上記昇降機構部を備える構成において、好ましくは、印刷部は、印刷部を固定して印刷を行うライン印刷方式により記録紙に印刷を行うように構成されており、印刷部は、上方から見て、読取部と重なるように配置されており、昇降機構部により読取部の位置が上下方向へ移動される際に、読取部の移動に伴って上下方向に移動するように構成されている。このように構成すれば、昇降機構部により読取部が上下方向に移動される際に、読取部の移動に伴って印刷部が移動するので、読取部と印刷部とが干渉するのを抑制することができる。また、ライン印刷方式により記録紙に印刷を行うことによって、シリアル印刷方式により記録紙に印刷を行う構成と異なり、印刷部を駆動させるための駆動機構を設ける必要がないので、画像形成装置を簡素な構成にすることができる。
【発明の効果】
【００１９】
本発明によれば、上記のように、印刷部および読取部の両方を備える場合にも、小型化を図ることが可能な画像形成装置を提供することができる。
【図面の簡単な説明】
【００２０】
【図１】本発明の第１実施形態によるインクジェット複合機の全体構成を示すブロック図である。
【図２】本発明の第１実施形態によるインクジェット複合機の動作を説明するための模式図である。
【図３】本発明の第１実施形態によるインクジェット複合機の斜視図である。
【図４】本発明の第１実施形態によるインクジェット複合機を上方から見た平面図である。
【図５】本発明の第１実施形態によるインクジェット複合機の印刷状態における昇降機構部近傍の拡大斜視図である。
【図６】本発明の第１実施形態によるインクジェット複合機の読取状態における昇降機構部近傍の拡大斜視図である。
【図７】本発明の第１実施形態によるインクジェット複合機の印刷状態における印刷部および読取部近傍を側方から見た模式的な断面図である。
【図８】本発明の第１実施形態によるインクジェット複合機の読取状態における印刷部および読取部近傍を側方から見た模式的な断面図である。
【図９】本発明の第１実施形態によるインクジェット複合機の動作モード選択画面を説明するための図である。
【図１０】本発明の第１実施形態によるインクジェット複合機の印刷処理を説明するためのフローチャートである。
【図１１】本発明の第１実施形態によるインクジェット複合機の読取処理を説明するためのフローチャートである。
【図１２】本発明の第２実施形態によるインクジェット複合機の斜視図である。
【図１３】本発明の第３実施形態によるインクジェット複合機の印刷状態における印刷部および読取部近傍を側方から見た模式的な断面図である。
【図１４】本発明の第３実施形態によるインクジェット複合機の読取状態における印刷部および読取部近傍を側方から見た模式的な断面図である。
【発明を実施するための形態】
【００２１】
以下、本発明を具体化した実施形態を図面に基づいて説明する。
【００２２】
（第１実施形態）
図１〜図８を参照して、本発明の第１実施形態によるインクジェット複合機１００の構成について説明する。なお、インクジェット複合機１００は、本発明の「画像形成装置」の一例である。
【００２３】
本発明の第１実施形態によるインクジェット複合機１００は、図１に示すように、記録紙に対してインクを噴射することにより印刷する印刷部１と、原稿を読み取る読取部２と、記録紙または原稿を搬送する搬送部３と、読取部２を上下方向に移動させる昇降機構部４とを備えている。
【００２４】
また、インクジェット複合機１００は、各構成要素を制御するための制御部５と、外部装置と接続されるための接続部６と、読取部２により読み取られた原稿のデータを記憶するための記憶部７とを備えている。
【００２５】
このインクジェット複合機１００は、接続部６を介して、ＵＳＢケーブルなどの接続ケーブルによりＰＣ９０（外部装置）と接続されるように構成されている。また、インクジェット複合機１００は、ＰＣ９０によるユーザの操作に基づいて、動作が制御されるように構成されている。
【００２６】
具体的には、インクジェット複合機１００は、ユーザの操作に基づいて、印刷動作モードと、読取動作モードとに切り替わるように構成されている。印刷動作モードでは、インクジェット複合機１００は、搬送部３により記録紙が印刷経路に沿って移動される印刷状態（図７参照）になるように構成されている。また、読取動作モードでは、インクジェット複合機１００は、搬送部３により原稿が読取経路に沿って移動される読取状態（図８参照）になるように構成されている。
【００２７】
また、インクジェット複合機１００は、図２に示すように、筐体７０と、給紙部７１と、排紙部７２とを含んでいる。このインクジェット複合機１００は、給紙部７１に給紙された記録紙または原稿を搬送部３により搬送するとともに、印刷部１による印刷または読取部２による読み取りを行って、排紙部７２に排紙するように構成されている。すなわち、このインクジェット複合機１００は、印刷と読み取りとの両方において、共通の搬送機構として搬送部３を用いることが可能なように構成されている。なお、搬送部３は、本発明の「印刷用搬送機構」および「読取用搬送機構」の一例である。
【００２８】
次に、図１〜図９を参照して、主に印刷部１、読取部２、搬送部３、昇降機構部４および制御部５の具体的な構成について説明する。その後、図１０および図１１を参照して、インクジェット複合機１００の印刷処理および読取処理について説明する。なお、本明細書を通して、Ｚ１方向を上方向、Ｚ２方向を下方向、Ｘ１方向を前方向、Ｘ２方向を後方向として記載する。
【００２９】
印刷部１は、図３、図４および図７に示すように、搬送部３によって印刷経路に沿って移動される記録紙に対して、上方（Ｚ１方向側）からインクを噴射することにより印刷するように構成されている。すなわち、印刷部１による印刷は、記録紙の上面（Ｚ１方向側の面）に対して行われる。また、印刷部１は、印刷部１を図示しないモータにより駆動させて印刷を行うシリアル印刷方式により記録紙に印刷を行うように構成されている。
【００３０】
また、印刷部１は、インクカートリッジ１１と、インクカートリッジ１１を搭載するためのキャリッジ１２とを含んでいる。インクカートリッジ１１は、黒色のインクが充填されたインクカートリッジ１１ａと、異なる複数の色（たとえば、シアン、マゼンタ、イエロー）のインクが充填されたインクカートリッジ１１ｂとを含んでいる。
【００３１】
また、筐体７０には、Ｙ方向に沿って延びるガイド部７０ａが設けられている。キャリッジ１２は、ベルト７０ｂによりＹ方向に移動可能なようにガイド部７０ａに取り付けられている。これにより、印刷部１は、印刷状態において、図示しないモータによりＹ方向に移動（駆動）されて、記録紙に印刷を行うように構成されている。また、印刷部１は、読取状態において、上方から見て、読取部２と重ならない位置（ホーム位置）（図３および図４に示す位置）に退避されるように構成されている。
【００３２】
読取部２は、図８に示すように、搬送部３によって読取経路に沿って移動される原稿を下方（Ｚ２方向側）から読み取るように構成されている。また、読取部２は、ロッドレンズ２１と、結像レンズ２２と、ＣＭＯＳイメージセンサ２３とを含んでいる。読取部２は、図示しないＬＥＤ光源からロッドレンズ２１を介して原稿に光を照射するとともに、原稿に照射された光の反射光を結像レンズ２２によりＣＭＯＳイメージセンサ２３に結像させることにより、原稿を読み取るように構成されている。すなわち、読取部２は、ＣＩＳ（Ｃｏｎｔａｃｔ  Ｉｍａｇｅ  Ｓｅｎｓｏｒ）方式により原稿の読み取りが行われるように構成されている。なお、読取部２により読み取りされた原稿のデータは、記憶部７に記憶されるとともに、接続部６を介してＰＣ９０に送信されて、ＰＣ９０においても記憶（保存）される。
【００３３】
ここで、第１実施形態では、読取部２は、側方（Ｙ方向）から見て、印刷部１と前後方向（Ｘ方向）に重なる位置において、印刷経路（図７に破線で示す）の下側に配置されている。また、印刷部１は、側方から見て、読取部２と前後方向に重なる位置において、印刷経路の上側に配置されている。言い換えると、印刷部１および読取部２は、側方から見て、前後方向に重なる位置において、印刷経路を挟んで上下方向に配置されている。
【００３４】
また、第１実施形態では、読取部２は、図３、図４、図７および図８に示すように、読取部２の周囲を覆う概略直方体状の格納部２４に格納されている。格納部２４は、読取部２の印刷部１側（Ｚ１方向側）を覆う被覆部２４ａと、被覆部２４ａよりも読取部２側（Ｚ２方向側）に配置され、原稿を読取部２に導入するための開口部２４ｂと、開口部２４ｂから導入される原稿を読取部２に向かって押えるための原稿押え部２４ｃとを有している。また、原稿押え部２４ｃと対向する格納部２４の面は、光を透過させるガラス板２４ｄにより構成されている。したがって、読取部２は、ガラス板２４ｄを介して、原稿を読み取るように構成されている。また、原稿押え部２４ｃは、原稿押え部２４ｃの上面（Ｚ１宝庫ぐ泡の面）と被覆部２４ａの下面（Ｚ２方向側の面）との間に配置される図示しない付勢部材により、下方向（Ｚ２方向）に付勢されている。これにより、原稿押え部２４ｃは、原稿を読取部２に向かって押えることが可能なように構成されている。
【００３５】
また、格納部２４には、図３〜図６に示すように、Ｙ１方向側およびＹ２方向側の端部に外側に向かって突出する一対の突出部２４ｅが設けられている。一対の突出部２４ｅは、後述する昇降機構部４と当接するように構成されている。これにより、格納部２４は、昇降機構部４の昇降動作に応じて、格納部２４を上下方向（Ｚ方向）に移動される。また、インクジェット複合機１００では、昇降機構部４により格納部２４が上下方向に移動されることにより、格納部２４に格納された読取部２も上下方向に移動される。
【００３６】
搬送部３は、図２に示すように、給紙ローラ３１と、第１搬送ローラ部３２と、第２搬送ローラ部３３とを含んでいる。インクジェット複合機１００では、印刷経路（または読取経路）の上流側から下流側に向かって、給紙ローラ３１と、第１搬送ローラ部３２と、第２搬送ローラ部３３とがこの順に配置されている。
【００３７】
給紙ローラ３１は、図示しないモータにより駆動されて、給紙部７１に給紙された記録紙または原稿を第１搬送ローラ部３２に向かって搬送するように構成されている。
【００３８】
第１搬送ローラ部３２は、一対の第１搬送ローラ３２ａおよび第１搬送ローラ３２ｂを有している。一対の第１搬送ローラ３２ａおよび３２ｂは、印刷経路および読取経路を挟んで、上下方向（Ｚ方向）に対向するように配置されている。また、一対の第１搬送ローラ３２ａおよび３２ｂは、給紙ローラ３１から搬送された原稿または記録紙を挟み込んだ状態で、印刷部１または読取部２を介して、第２搬送ローラ部３３に向かって搬送するように構成されている。また、第１搬送ローラ３２ａは、図示しないモータにより駆動（回転）されるように構成されている。また、第１搬送ローラ３２ａには、Ｙ１方向側の端部にギヤ３２ｃが設けられている。
【００３９】
第２搬送ローラ部３３は、一対の第２搬送ローラ３３ａおよび第２搬送ローラ３３ｂを有している。一対の第２搬送ローラ３３ａおよび３３ｂは、印刷経路および読取経路を挟んで、上下方向（Ｚ方向）に対向するように配置されている。また、一対の第２搬送ローラ３３ａおよび３３ｂは、第１搬送ローラ部３２から搬送された原稿または記録紙を挟み込んだ状態で、排紙部７２に向かって搬送するように構成されている。また、第２搬送ローラ３３ａには、Ｙ１方向側の端部にギヤ３３ｃが設けられている。ギヤ３３ｃは、ギヤ３４を介して第１搬送ローラ３２ａのギヤ３２ｃと連結されている。これにより、第２搬送ローラ３３ａでは、第１搬送ローラ３２ａの回転に伴って回転して、記録紙または原稿が搬送される。
【００４０】
また、第１実施形態では、昇降機構部４は、図３および図４に示すように、格納部２４の一対の突出部２４ｅの下方（Ｚ２方向）に一対設けられている。また、昇降機構部４は、図５および図６に示すように、電磁力により棒部４１が上下方向に移動するソレノイドにより構成されている。これにより、昇降機構部４は、格納部２４を上下方向に移動させて、読取部２を上下方向に移動させるように構成されている。
【００４１】
また、昇降機構部４は、読取部２の上下方向の位置を切り替えることにより、読取状態と印刷状態とを切り替えるように構成されている。具体的には、昇降機構部４は、図５に示すように、印刷状態において、記録紙が格納部２４の被覆部２４ａの上面（Ｚ１方向側の面）上を搬送されるように、格納部２４を下方向に移動させるように構成されている。また、昇降機構部４は、図６に示すように、読取状態において、原稿が格納部２４の開口部２４ｂに導入（搬送）されるように、格納部２４を上方向に移動させるように構成されている。
【００４２】
また、昇降機構部４は、図７および図８に示すように、読取状態において開口部２４ｂに原稿が導入される際の格納部２４近傍の読取経路と、印刷状態おいて記録紙が被覆部２４ａの上面上を搬送される際の格納部２４近傍の印刷経路との上下方向（Ｚ方向）の高さ位置が略同一になるように、格納部２４を上下方向に移動させるように構成されている。
【００４３】
制御部５は、図１に示すように、インクジェット複合機１００の各構成要素を制御するように構成されている。詳細には、制御部５は、各構成要素を制御して、印刷処理（図１０参照）および読取処理（図１１参照）に関する制御を行うように構成されている。
【００４４】
具体的には、制御部５（図１参照）は、図９に示すように、ＰＣ９０の画面に表示される動作モード選択画面８０におけるユーザの操作（設定）に基づいて、印刷処理および読取処理に関する制御を行うように構成されている。動作モード選択画面８０は、印刷動作モード設定画面８１と、読取動作モード設定画面８２とを含んでいる。印刷動作モード設定画面８１では、印刷動作モードにおける詳細な設定（たとえば、用紙サイズの設定など）を行うことが可能であるとともに、読取動作モード設定画面８２では、読取動作モードにおける詳細な設定を行うことが可能である。制御部５は、この動作モード選択画面８０で選択された動作モードにより、ユーザの操作（設定）に基づいて、インクジェット複合機１００を動作させるように構成されている。
【００４５】
次に、図１０を参照して、インクジェット複合機１００の印刷処理をフローチャートに基づいて説明する。なお、インクジェット複合機１００では、通常時において読取部２は、印刷状態における位置（図７に示す位置）に配置されている。
【００４６】
まず、ステップＳ１において、ユーザによる操作が制御部５（図１参照）により受付される。具体的には、ＰＣ９０（図１参照）の画面に表示される印刷動作モード設定画面８１（図９参照）において、ユーザにより印刷動作モードの詳細な設定がなされて、印刷動作モードの開始操作が行われたことが制御部５により受付される。
【００４７】
そして、ステップＳ２において、給紙部７１（図２参照）に記録紙があるか否かを判定する制御が制御部５により行われる。記録紙がないと判定された場合には、ステップＳ１に戻り、ユーザによる操作受付を繰り返す。
【００４８】
また、ステップＳ２おいて、記録紙があると判定された場合には、ステップＳ３において、印刷動作が制御部５により行われる。具体的には、搬送部３により記録紙が印刷経路に沿って移動されて、印刷部１による印刷が行われる。
【００４９】
そして、ステップＳ４において、全ての印刷が完了したか否かを判定する制御が制御部５により行われる。全ての印刷が完了していないと判定された場合には、ステップＳ２に戻り、全ての印刷が完了するまで印刷動作が繰り返される。
【００５０】
また、ステップＳ４において、全ての印刷が完了したと判定された場合には、印刷処理が終了される。
【００５１】
次に、図１１を参照して、インクジェット複合機１００の読取処理をフローチャートに基づいて説明する。
【００５２】
まず、ステップＳ１１において、ユーザによる操作が制御部５（図１参照）により受付される。具体的には、ＰＣ９０（図１参照）の画面に表示される読取動作モード設定画面８２（図９参照）において、ユーザにより読取動作モードの詳細な設定がなされて、読取動作モードの開始操作が行われたことが制御部５により受付される。
【００５３】
そして、ステップＳ１２において、印刷部１をホーム位置（図３および図４に示す位置）に退避させる制御が制御部５により行われる。具体的には、図示しないモータにより印刷部１がガイド部７０ａのＹ２方向側の端部まで移動されることにより、上方から見て、読取部２と重ならない位置（ホーム位置）に退避される。印刷部１がホーム位置にある場合には、ステップＳ１２の処理は行われない。
【００５４】
そして、ステップＳ１３において、読取部２を読取状態の位置（図８に示す位置）に移動する制御が制御部５により行われる。具体的には、原稿が格納部２４の開口部２４ｂに導入されるように、昇降機構部４を駆動させて格納部２４を上方向に移動させることにより、読取部２が読取状態の位置に移動される。
【００５５】
そして、ステップＳ１４において、給紙部７１に原稿があるか否かを判定する制御が制御部５により行われる。原稿がないと判定された場合には、ステップＳ１１に戻り、ユーザによる操作受付を繰り返す。
【００５６】
また、ステップＳ１４において、原稿があると判定された場合には、ステップＳ１５において、読取動作が制御部５により行われる。具体的には、搬送部３により原稿が読取経路に沿って移動されて、読取部２による読み取りが行われる。また、読取部２により読み取られた原稿のデータは、記憶部７に記憶されるとともに、接続部６を介してＰＣ９０に送信されて、ＰＣ９０においても記憶（保存）される。
【００５７】
そして、ステップＳ１６において、全ての読取が完了したか否かを判定する制御が制御部５により行われる。全ての読取が完了していないと判定された場合には、ステップＳ１４に戻り、全ての読取が完了するまで読取動作が繰り返される。
【００５８】
また、ステップＳ１６において、全ての読取が完了したと判定された場合には、ステップＳ１７において、読取部２を印刷状態の位置（図７に示す位置）に移動する制御が制御部５により行われる。具体的には、記録紙が格納部２４の被覆部２４ａの上面上を搬送されるように、読取状態の位置から格納部２４を下方向に移動させることにより、読取部２が印刷状態の位置に移動される。そして、読取処理が終了される。
【００５９】
第１実施形態では、以下のような効果を得ることができる。
【００６０】
第１実施形態では、上記のように、側方（Ｙ方向）から見て、印刷部１と読取部２とを前後方向に重なる位置に配置することによって、印刷部１と読取部２とが前側と後側とに並んだ状態で配置される構成と比べて、インクジェット複合機１００が前後方向（Ｘ方向）に大きくなってしまうのを抑制することができる。その結果、印刷部１および読取部２の両方を備える場合にも、インクジェット複合機１００を小型化することができる。
【００６１】
また、第１実施形態では、上記のように、側方から見て、前後方向に重なる位置において、印刷経路を挟んで上下方向（Ｚ方向）に印刷部１および読取部２を配置する。ここで、上下方向（Ｚ方向）において印刷部１の配置される位置とは反対側の位置は、通常デッドスペースになり易い位置であるので、本発明のように、上下方向において印刷部１の配置される位置とは反対側の位置に読取部２を配置すれば、デッドスペースを利用して、印刷部１と読取部２とを容易に前後方向に重なる位置に配置することができる。
【００６２】
また、第１実施形態では、上記のように、側方から見て、印刷経路の上側（Ｚ１方向側）に印刷部１を配置する。そして、側方から見て、印刷経路の下側（Ｚ２方向側）に読取部２を配置する。これにより、印刷部１の下側の印刷経路を移動される記録紙に対して印刷部１によりインクを噴射することができるので、重力によりインクが下側に移動するのを利用して、印刷部１による印刷を容易に行うことができる。
【００６３】
また、第１実施形態では、上記のように、原稿が読取経路に沿って移動される読取状態と、読取状態から読取部２の位置を下方向に移動させて、記録紙が印刷経路に沿って移動される印刷状態とを切り替えるように昇降機構部４を構成する。これにより、印刷状態において昇降機構部４により読取部２を印刷部１とは離間する方向（下方向）に移動させることができるので、印刷時に印刷部１から噴射されたインクが読取部２に付着してしまうのを抑制することができる。その結果、インクの付着に起因して、読取部２による原稿の読取不良が起こるのを抑制することができる。
【００６４】
また、第１実施形態では、上記のように、印刷状態と読取状態との両方の状態において、印刷用搬送機構と読取用搬送機構としての搬送部３が共通になるように読取部２を上下方向に移動させるように昇降機構部４を構成されている。これにより、印刷用搬送機構と読取用搬送機構とを搬送部３として共通にすることができるので、印刷経路のためにのみ用いられる搬送ローラや、読取経路のためにのみ用いられる搬送ローラを設ける必要がない。その結果、部品点数が増加してしまうのを抑制することができるので、インクジェット複合機１００をより一層小型化することができる。
【００６５】
また、第１実施形態では、上記のように、格納部２４に格納された状態で、昇降機構部４により格納部２４が上下方向に移動されることにより、上下方向に移動されるように読取部２を構成する。これにより、格納部２４により読取部２を格納することによって、印刷部１から噴射されたインクが読取部２に付着してしまうのをより抑制することができる。その結果、インクの付着に起因して、読取部２による原稿の読取不良が起こるのをより抑制することができる。
【００６６】
また、第１実施形態では、上記のように、印刷状態において、記録紙が被覆部２４ａの上面上を搬送されるように格納部２４を下方向に移動させるように昇降機構部４を構成する。これにより、格納部２４の被覆部２４ａを利用して、記録紙の印刷経路の一部を形成することができるので、別個の部材により記録紙の印刷経路を形成する構成と比べて、部品点数が増加してしまうのを抑制することができる。
【００６７】
また、第１実施形態では、上記のように、印刷用搬送機構と読取用搬送機構としての搬送部３が共通になるように、読取状態において開口部２４ｂに原稿が導入される際の格納部２４近傍の読取経路と、印刷状態において記録紙が被覆部２４ａの上面上を搬送される際の格納部２４近傍の印刷経路との上下方向の高さ位置が略同一になるように格納部２４を上下方向に移動させるように昇降機構部４を構成する。これにより、格納部２４近傍の読取経路と印刷経路との上下方向の高さが異なる構成と異なり、読取状態における読取経路と印刷状態における印刷経路との経路を切り替える切替部材を設ける必要がない。その結果、部品点数が増加してしまうのをより抑制することができるとともに、インクジェット複合機１００をさらに小型化することができる。
【００６８】
また、第１実施形態では、上記のように、開口部２４ｂの内側に配置され、読取部２に向かって原稿を押えるための原稿押え部２４ｃを格納部２４に設ける。これにより、読取経路に沿って移動される原稿を原稿押え部２４ｃにより読取部２に向かって押えることができるので、印刷高さと略同一の読み取り高さ位置で原稿を読み取る場合に、読み取り位置（高さ位置）を略均一にすることができる。これにより、ピントのずれやすいＣＩＳ方式の読取部２においても、読取部２により原稿を確実に読み取ることができる。
【００６９】
また、第１実施形態では、上記のように、シリアル印刷方式により記録紙に印刷を行うように印刷部１を構成する。そして、読取状態において、上方から見て、読取部２と重ならない位置に退避可能なように印刷部１を配置する。これにより、昇降機構部４により読取部２が上方向に移動される際に、印刷部１を読取部２と重ならない位置に退避させることができるので、読取部２と印刷部１とが干渉するのを抑制することができる。
【００７０】
（第２実施形態）
次に、図１２を参照して、第２実施形態について説明する。この第２実施形態では、シリアル印刷方式により記録紙に印刷を行った上記第１実施形態の構成とは異なり、ライン印刷方式により記録紙に印刷を行う例について説明する。
【００７１】
本発明の第２実施形態によるインクジェット複合機２００は、図１２に示すように、印刷部１０１を備えている。なお、上記第１実施形態と同一の機能を有する構成については、同じ符号を付してその説明を省略する。なお、インクジェット複合機２００は、本発明の「画像形成装置」の一例である。
【００７２】
第２実施形態では、印刷部１０１は、印刷部１０１を固定して印刷を行うライン印刷方式により印刷を行うように構成されている。印刷部１０１は、印刷経路に沿って移動される記録紙のＹ方向の幅の全範囲を覆うように、Ｙ方向に沿ってライン状に形成されている。また、印刷部１０１は、上方（Ｚ１方向側）から見て、格納部２４（読取部２）と重なるように配置されている。つまり、印刷部１０１と、読取部２とは、前後方向（Ｘ方向）に重なる位置に配置されている。
【００７３】
また、印刷部１０１には、Ｙ１方向側およびＹ２方向側の端部に外側に向かって突出する一対の連結突出部１０１ａが設けられている。また、印刷部１０１と格納部２４とは、一対の連結突出部１０１ａにより連結されている。また、一対の連結突出部１０１ａは、昇降機構部４と当接するように構成されている。したがって、印刷部１０１は、昇降機構部４により格納部２４（読取部２）の位置が上下方向（Ｚ方向）に移動される際に、格納部２４（読取部２）の移動に伴って上下方向に移動するように構成されている。これにより、第２実施形態のインクジェット複合機２００は、読取状態と印刷状態とを切り替えるように構成されている。
【００７４】
また、印刷部１０１と格納部２４とは、印刷部１０１の下面（Ｚ２方向側の面）と、格納部２４の被覆部２４ａの上面（Ｚ１方向側の面）とが所定の距離離間するように、一対の連結突出部１０１ａにより連結されている。これにより、印刷状態において、印刷部１０１の下面と、格納部２４の被覆部２４ａの上面との間を通して、記録紙を搬送することが可能である。
【００７５】
なお、第２実施形態のその他の構成は、上記第１実施形態と同様である。
【００７６】
第２実施形態では、以下のような効果を得ることができる。
【００７７】
第２実施形態では、上記のように、側方から見て、印刷部１０１と読取部２とを前後方向に重なる位置に配置することによって、上記第１実施形態と同様に、インクジェット複合機２００を小型化することができる。
【００７８】
また、第２実施形態では、上記のように、ライン印刷方式により記録紙に印刷を行うように印刷部１０１を構成する。そして、上方から見て、読取部２と重なるように配置されており、昇降機構部４により読取部２の位置が上下方向へ移動される際に、読取部２の移動に伴って上下方向に移動するように印刷部１０１を構成する。これにより、昇降機構部４により読取部２が上下方向に移動される際に、読取部２の移動に伴って印刷部１０１が移動するので、読取部２と印刷部１０１とが干渉するのを抑制することができる。また、ライン印刷方式により記録紙に印刷を行うことによって、シリアル印刷方式により記録紙に印刷を行う構成と異なり、印刷部１０１を駆動させるための駆動機構を設ける必要がないので、インクジェット複合機２００を簡素な構成にすることができる。
【００７９】
なお、第２実施形態のその他の効果は、上記第１実施形態と同様である。
【００８０】
（第３実施形態）
次に、図２および図１３および図１４を参照して、第３実施形態について説明する。この第３実施形態では、昇降機構部４により格納部２４を上下方向に移動させて、印刷状態と読取状態とを切り替えた上記第１および第２実施形態の構成とは異なり、経路切替部２３４および２３５により印刷経路と読取経路とを切り替えて、印刷状態と読取状態とを切り替える例について説明する。
【００８１】
本発明の第３実施形態によるインクジェット複合機３００には、図１３に示すように、一対の経路切替部２３４および２３５が設けられている。なお、上記第１および第２実施形態と同一の機能を有する構成については、同じ符号を付してその説明を省略する。また、インクジェット複合機３００は、本発明の「画像形成装置」の一例である。
【００８２】
経路切替部２３４は、図１３および図１４に示すように、格納部２４に対して、印刷経路（または読取経路）の上流側（Ｘ２方向側）に設けられている。また、経路切替部２３４は、格納部２４の被覆部２４ａの後方（Ｘ２方向側）の端部近傍に設けられた回動軸を軸線として回動することによって、第１搬送ローラ部３２から読取部２に向かう読取経路が開閉するように構成されている。具体的には、経路切替部２３４は、印刷状態において、第１搬送ローラ部３２から読取部２に向かう読取経路を閉じるとともに、読取状態において、第１搬送ローラ部３２から読取部２に向かう読取経路を開くように構成されている。
【００８３】
また、経路切替部２３５は、格納部２４に対して、印刷経路（または読取経路）の下流側（Ｘ１方向側）に設けられている。また、経路切替部２３５は、格納部２４の被覆部２４ａの前方（Ｘ１方向側）の端部近傍に設けられた回動軸を軸線として回動することによって、読取部２から第２搬送ローラ部３３に向かう読取経路が開閉するように構成されている。具体的には、経路切替部２３５は、印刷状態において、読取部２から第２搬送ローラ部３３に向かう読取経路を閉じるとともに、読取状態において、読取部２から第２搬送ローラ部３３に向かう読取経路を開くように構成されている。
【００８４】
すなわち、経路切替部２３４および２３５は、図１３に示すように、印刷状態において、記録紙が格納部２４の被覆部２４ａの上面（Ｚ１方向側の面）上を搬送されるように回動するように構成されている。この場合には、第１搬送ローラ部３２から読取部２に向かう読取経路と、読取部２から第２搬送ローラ部３３に向かう読取経路とが経路切替部２３４および２３５により閉じられる。
【００８５】
また、経路切替部２３４および２３５は、図１４に示すように、読取状態において、原稿が格納部２４の開口部２４ｂに導入（搬送）されるように回動するように構成されている。この場合には、第１搬送ローラ部３２から読取部２に向かう読取経路と、読取部２から第２搬送ローラ部３３に向かう読取経路とが経路切替部２３４および２３５により開かれる。
【００８６】
このように、第３実施形態のインクジェット複合機３００は、経路切替部２３４および２３５が開閉することによって、印刷経路と読取経路とを切り替えて、印刷状態と読取状態とを切り替えるように構成されている。
【００８７】
なお、第３実施形態のその他の構成は、上記第１実施形態と同様である。
【００８８】
第３実施形態では、以下のような効果を得ることができる。
【００８９】
第３実施形態では、上記のように、側方から見て、印刷部１と読取部２とを前後方向に重なる位置に配置することによって、上記第１実施形態と同様に、インクジェット複合機３００を小型化することができる。
【００９０】
また、第３実施形態では、上記のように、開閉することによって、印刷経路と読取経路との経路を切り替えて、印刷状態と読取状態とを切り替えるための経路切替部２３４および２３５を設けることによって、簡素な構成で印刷状態と読取状態とを切り替えることができるので、インクジェット複合機３００が大きくなってしまうのを抑制することができる。
【００９１】
なお、第３実施形態のその他の効果は、上記第１実施形態と同様である。
【００９２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９３】
たとえば、上記第１〜第３実施形態では、インクジェット複合機１００（２００、３００）が印刷機能および読取機能を有した例を示したが、本発明はこれに限られない。本発明では、インクジェット複合機が印刷機能および読取機能以外の機能を有していてもよい。たとえば、インクジェット複合機が印刷機能および読取機能を利用して、コピー機能や、ＦＡＸ機能などを有していてもよい。たとえば、読取部により読み取られた原稿のデータを記憶部に記憶した後、記憶した原稿のデータに基づいて、印刷部により印刷が行われれば、読取部と印刷部とを利用して、コピー機能を実現することが可能である。
【００９４】
また、上記第１〜第３実施形態では、読取部２による読取方式としてＣＩＳ方式を用いた例を示したが、本発明はこれに限られない。本発明では、読取部による読取方式としてＣＩＳ方式以外の読取方式を用いてもよい。たとえば、ＣＣＤ方式などの読取方式を用いてもよい。
【００９５】
また、上記第１〜第３実施形態では、動作モード選択画面８０が外部装置（ＰＣ９０）の画面に表示された例を示したが、本発明はこれに限られない。本発明では、動作モード選択画面がインクジェット複合機の表示部に表示されてもよい。この場合には、インクジェット複合機は、表示部と、操作部とを備え、表示部に表示された動作モード選択画面を操作部により操作可能に構成される。
【００９６】
また、上記第１および第２実施形態では、昇降機構部４の昇降機構としてソレノイドを用いた例を示したが、本発明はこれに限られない。本発明では、昇降機構部の昇降機構としてソレノイド以外を用いてもよい。たとえば、昇降機構部の昇降機構として、モータにより回転するギヤや、ユーザの操作により上下動するレバーを用いてもよい。この場合、モータにより回転するギヤおよびユーザの操作により上下動するレバーは、本発明の「昇降機構部」の一例である。
【００９７】
また、上記第１および第２実施形態では、一対の昇降機構部４を設けた例を示したが、本発明はこれに限られない。本発明では、昇降機構部は、１つまたは３つ以上設けられてもよい。
【００９８】
また、上記第１および第３実施形態では、印刷部１と読取部２とを、側方から見て、前後方向に重なる位置に、印刷経路を挟んで配置した例を示したが、本発明はこれに限られない。本発明では、印刷部と読取部とを、側方から見て、前後方向に重なる位置に、印刷経路を挟むことなく配置してもよい。
【００９９】
また、上記第１〜第３実施形態では、説明の便宜上、本発明の制御部５の処理を処理フローに沿って順番に処理を行うフロー駆動型のフローチャートを用いて説明したが、本発明はこれに限られない。本発明では、制御部５の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１００】
１、１０１  印刷部
２  読取部
３  搬送部（印刷用搬送機構、読取用搬送機構）
４  昇降機構部
２４  格納部
２４ａ  被覆部
２４ｂ  開口部
２４ｃ  原稿押え部
１００、２００、３００  画像形成装置
【図１】
2015177520.tif 000003
【図２】
2015177520.tif 000004
【図３】
2015177520.tif 000005
【図４】
2015177520.tif 000006
【図５】
2015177520.tif 000007
【図６】
2015177520.tif 000008
【図７】
2015177520.tif 000009
【図８】
2015177520.tif 000010
【図９】
2015177520.tif 000011
【図１０】
2015177520.tif 000012
【図１１】
2015177520.tif 000013
【図１２】
2015177520.tif 000014
【図１３】
2015177520.tif 000015
【図１４】
2015177520.tif 000016